【手続補正書】
【提出日】平成26年1月31日(2014.1.31)
【手続補正１】
【補正対象書類名】明細書
【補正対象項目名】発明の名称
【補正方法】変更
【補正の内容】
【発明の名称】画像処理方法及び画像処理装置
【手続補正２】
【補正対象書類名】明細書
【補正対象項目名】０００１
【補正方法】変更
【補正の内容】
【０００１】
本発明は、フルライン形式の記録装置を用いて画像を記録するための画像処理方法及び画像処理装置に関する。
【手続補正３】
【補正対象書類名】明細書
【補正対象項目名】０００８
【補正方法】変更
【補正の内容】
【０００８】
そこで、本発明は上記の事情に鑑み、縁有り記録と、縁無し記録とによって記録を行うことが可能であっても、記録形式に応じてテストパターンの検知領域を定めることのできる画像処理方法及び画像処理装置を提供することを目的とする。
【手続補正４】
【補正対象書類名】明細書
【補正対象項目名】０００９
【補正方法】変更
【補正の内容】
【０００９】
本発明の画像処理方法は、第１の方向に複数の記録素子が配列する記録ヘッドに対して、前記第１の方向と交差する第２の方向に記録媒体を搬送することにより前記記録媒体に画像を記録するための画像処理方法であって、前記記録媒体に記録されたテストパターンを読み取り手段が読み取った読み取りデータを取得する取得工程と、前記テストパターンが前記記録媒体の前記第１の方向における端部に余白を設けずに記録された場合、前記読み取りデータにおいて前記記録媒体の前記第１の方向における両端部に対応する位置をそれぞれ検出し、検出された当該両端部に対応する位置の間を前記読み取りデータの解析範囲として設定する第１設定工程と、前記テストパターンが前記記録媒体の前記第１の方向における端部に余白を設けて記録された場合、前記読み取りデータにおいて前記テストパターンの前記第１の方向における両端部に対応する位置をそれぞれ検出し、検出された当該両端部に対応する位置の間を前記読み取りデータの解析範囲として設定する第２設定工程とを備えることを特徴とする。
【手続補正５】
【補正対象書類名】明細書
【補正対象項目名】００１０
【補正方法】変更
【補正の内容】
【００１０】
本発明によれば、縁有りで記録されたテストパターンと、縁無しで記録されたテストパターンとで、それぞれの読み取りデータの解析範囲を適切に設定することができる画像処理方法及び画像処理装置を提供することができる。
【手続補正６】
【補正対象書類名】特許請求の範囲
【補正対象項目名】全文
【補正方法】変更
【補正の内容】
【特許請求の範囲】
【請求項１】
第１の方向に複数の記録素子が配列する記録ヘッドに対して、前記第１の方向と交差する第２の方向に記録媒体を搬送することにより前記記録媒体に画像を記録するための画像処理方法であって、
前記記録媒体に記録されたテストパターンを読み取り手段が読み取った読み取りデータを取得する取得工程と、
前記テストパターンが前記記録媒体の前記第１の方向における端部に余白を設けずに記録された場合、前記読み取りデータにおいて前記記録媒体の前記第１の方向における両端部に対応する位置をそれぞれ検出し、検出された当該両端部に対応する位置の間を前記読み取りデータの解析範囲として設定する第１設定工程と、
前記テストパターンが前記記録媒体の前記第１の方向における端部に余白を設けて記録された場合、前記読み取りデータにおいて前記テストパターンの前記第１の方向における両端部に対応する位置をそれぞれ検出し、検出された当該両端部に対応する位置の間を前記読み取りデータの解析範囲として設定する第２設定工程と
を備えることを特徴とする画像処理方法。
【請求項２】
前記取得工程において、前記読み取りデータの前記第１の方向における輝度をさらに取得し、前記第１設定工程において、第１の閾値よりも高い輝度を示す位置と前記第１の閾値よりも低い輝度を示す位置との間を前記記録媒体の端部に対応する位置として検出し、前記第２設定工程において、第２の閾値よりも高い輝度を示す位置と前記第２の閾値よりも低い輝度を示す位置との間を前記テストパターンの端部として検出することを特徴とする請求項１に記載の画像処理方法。
【請求項３】
前記第１の閾値は、前記第２の閾値よりも低いことを特徴とする請求項２に記載の画像処理方法。
【請求項４】
前記第１設定工程において、前記第１の閾値よりも高い輝度を示す領域を前記記録媒体に対応する領域として検出し、前記第２設定工程において、前記第２の閾値よりも低い輝度を示す領域を前記テストパターンに対応する領域として検出し、前記第２の閾値よりも高い輝度を示す領域を余白に対応する領域として検出することを特徴とする請求項２または３に記載の画像処理方法。
【請求項５】
前記第１の方向における前記複数の記録素子が記録可能な幅は、前記第１の方向における前記記録媒体の幅よりも広いことを特徴とする請求項１から４のいずれか１項に記載の画像処理方法。
【請求項６】
前記読み取り工程において、前記記録媒体は、前記読み取り手段と、前記第１の閾値よりも低い輝度を示す部材と、の間の位置で読み取られ、前記読み取りデータは、前記部材を読み取ったデータを含むことを特徴とする請求項１から５のいずれか１項に記載の画像処理方法。
【請求項７】
前記第１の方向における前記部材の幅は、前記第１の方向における前記記録媒体の幅よりも広いことを特徴とする請求項６に記載の画像処理方法。
【請求項８】
前記部材は黒色であることを特徴とする請求項６または７に記載の画像処理方法。
【請求項９】
前記第１設定工程または前記第２設定工程において設定された前記読み取りデータの解析範囲において、前記複数の記録素子の記録不良を検出する検出工程をさらに備えることを特徴とする請求項１から８のいずれか１項に記載の画像処理方法。
【請求項１０】
前記検出工程において検出された記録不良の前記記録素子を用いて記録すべき記録データを、記録不良でない前記記録素子を用いて記録するように画像データを生成する生成工程をさらに備えることを特徴とする請求項９に記載の画像処理方法。
【請求項１１】
前記記録ヘッドは、第１の色の色材に対応する複数の記録素子が配列した第１の記録素子列と、前記第１の色とは異なる第２の色の色材に対応する複数の記録素子が配列した第２の記録素子列を備え、
前記テストパターンは前記第１の色のパターンと前記第２の色のパターンとを含み、
前記取得工程において、前記第１の色のパターンの読み取りデータと前記第２の色のパターンの読み取りデータとを取得することを特徴とする請求項１から９のいずれか１項に記載の画像処理方法。
【請求項１２】
前記複数の記録素子は、インクを吐出するインクジェット記録素子であることを特徴とする請求項１から１１のいずれか１項に記載の画像処理方法。
【請求項１３】
第１の方向に複数の記録素子が配列する記録ヘッドに対して、前記第１の方向と交差する第２の方向に記録媒体を搬送することにより前記記録媒体に画像を記録するための画像処理装置であって、
前記記録媒体に記録されたテストパターンを読み取り手段が読み取った読み取りデータを取得する取得手段と、
前記テストパターンが前記記録媒体の前記第１の方向における端部に余白を設けずに記録された場合、前記読み取りデータにおいて前記記録媒体の前記第１の方向における両端部に対応する位置をそれぞれ検出し、検出された当該両端部に対応する位置の間を前記読み取りデータの解析範囲として設定し、前記テストパターンが前記記録媒体の前記第１の方向における端部に余白を設けて記録された場合、前記読み取りデータにおいて前記テストパターンの前記第１の方向における両端部に対応する位置をそれぞれ検出し、検出された当該両端部に対応する位置の間を前記読み取りデータの解析範囲として設定する設定手段と
を備えることを特徴とする画像処理装置。
【請求項１４】
前記取得手段は、前記読み取りデータの前記第１の方向における輝度をさらに取得し、前記設定手段は、前記第１の方向における端部に余白を設けずに前記テストパターンが記録された場合、第１の閾値よりも高い輝度を示す位置と前記第１の閾値よりも低い輝度を示す位置との間を前記記録媒体の端部に対応する位置として検出し、前記第１の方向における端部に余白を設けて前記テストパターンが記録された場合、第２の閾値よりも高い輝度を示す位置と前記第２の閾値よりも低い輝度を示す位置との間を前記テストパターンの端部として検出することを特徴とする請求項１３に記載の画像処理装置。
【請求項１５】
前記第１の閾値は、前記第２の閾値よりも低いことを特徴とする請求項１４に記載の画像処理装置。
【請求項１６】
前記設定手段は、前記第１の方向における端部に余白を設けずに前記テストパターンが記録された場合、前記第１の閾値よりも高い輝度を示す領域を前記記録媒体に対応する領域として検出し、前記第１の方向における端部に余白を設けて前記テストパターンが記録された場合、前記第２の閾値よりも低い輝度を示す領域を前記テストパターンに対応する領域として検出し、前記第２の閾値よりも高い輝度を示す領域を余白に対応する領域として検出することを特徴とする請求項１４または１５に記載の画像処理装置。
【請求項１７】
前記第１の方向における前記複数の記録素子が記録可能な幅は、前記第１の方向における前記記録媒体の幅よりも広いことを特徴とする請求項１３から１６のいずれか１項に記載の画像処理装置。
【請求項１８】
前記記録媒体は、前記読み取り手段と、前記第１の閾値よりも低い輝度を示す部材と、の間の位置で読み取られ、前記読み取りデータは、前記部材を読み取ったデータを含むことを特徴とする請求項１３から１７のいずれか１項に記載の画像処理装置。
【請求項１９】
前記第１の方向における前記部材の幅は、前記第１の方向における前記記録媒体の幅よりも広いことを特徴とする請求項１８に記載の画像処理装置。
【請求項２０】
設定された前記読み取りデータの解析範囲において、前記複数の記録素子の記録不良を検出する検出手段をさらに備えることを特徴とする請求項１３から１９のいずれか１項に記載の画像処理装置。
【請求項２１】
前記検出手段により検出された記録不良の前記記録素子を用いて記録すべき記録データを、記録不良でない前記記録素子を用いて記録するように画像データを生成する生成手段をさらに備えることを特徴とする請求項２０に記載の画像処理装置。
【請求項２２】
前記複数の記録素子は、インクを吐出するインクジェット記録素子であることを特徴とする請求項１３から２１のいずれか１項に記載の画像処理装置。